(57)【要約】      （修正有）【課題】商品棚に消費期限の大幅に違う商品が同価格のまま陳列され、古いものが取り残されることにより発生する廃棄物を減らすためのカウントダウン値引きシステムを提供する。【解決手段】消費期限前販売促進案として、時間経過により連続的に自動で商品のカウントダウン値引きを行い廃棄物を減らす。現在使われている消費期限印字と商品バーコード・値札を一体化、カウントダウンのための情報を組み込む。また消費者にも分かりやすく、文字部分印字して、製造から精算まで一枚で通して使用できる商品表示シールとする。消費期限を調整して廃棄処分となる前に次の製品、流通をつくる。消費者には値引きという利益供与、物流機関では在庫期間のペナルティで自然とデータを集める。レジでの精算データと物流での在庫データを分析し製造・配送・販売・消費部門において適正生産・適正在庫・適正販売を計画する。【選択図】なし【特許請求の範囲】
【請求項１】
消費期限のある商品の製造・配送・販売において、不良在庫を減らし見切り品や廃棄処分品の出ないように販売促進するシステムである。
【請求項２】
消費期限のある商品の製造・配送・販売において製造日・消費期限日を勘案してルール化、自動で製造後経過値引き・消費期限前販売促進値引きを行うものである。精算時、カウントダウン値引き分をレシートに印字  支払金額より差し引くか  ポイント加算で消費者に還元するシステムである。
【請求項３】
消費期限のある商品の製造・配送・販売において、商品表示コードを改善、消費者に消費期限年月日・定価・値引目安を文字で印字。
これは購入時消費者にも分かりやすくし、製造・配送・販売・消費まで単一シールで精算まで共通させる。
【請求項４】
消費期限のある商品の製造・配送・販売・購入においてデータを共有し  適正生産・適正在庫  適正販売を目標とするシステムである。
【請求項５】
商品表示コードに消費期限関連データをインプットし、カウントダウン値引きと購入の関係を解析、商品の検討や新しい商品の開発へとすすめるものである。
【請求項６】
このシステムは製造配送部門にも応用し。製造からの在庫期間、配送時の停滞時間、バックヤードでの待機時間にペナルティーを加え、同じようにカウントダウン値引き仕入れとする。
【請求項７】
消費期限のある商品の製造・配送・販売・購入部門から、正確な購買履歴データ流通履歴データを取り解析改善物流をスムース化する。
【請求項８】
このシステムは医薬品・加工食品・生鮮食品・衣料品・雑貨など消費期限・販売期限を設定するものを対象とする。
【請求項９】
異業種企業間をつなぐ構想のため、まずはカウントダウン値引きを推し進め、段階的に物流全体に採用させていきたい。
【発明の詳細な説明】
【技術分野】
【０００１】本発明は消費期限のある商品の大量廃棄処分を減らすために考えたものである。
【背景技術】
【０００２】  今日、情報技術が進み、バーコード利用による商品情報は二次元コード・ＱＲコードと大きな容量の情報を含めるようになっている。又ＰＯＳシステムなど物流管理もでき、消費者データも集積されている。しかし消費期限切れの廃棄物が減ることなく社会問題となっている。製造・配送・販売あらゆる分野においても不良在庫を抱え廃棄処分品が減らせずにいる。
【発明の概要】
この発明は、廃棄物を減らすためのものであり、商品の循環を妨げている消費者心理に着目、改善しようとするものである。
消費者に向け、各々の商品の表示コードに価格のカウントダウン機能をつけ、日毎、時間ごと連続的に値引きをしていくシステムである。同時に製造・配送・販売の流れにおいても、この表示コードを活用し企業間を超えた取引を期待するものである。
【発明が解決しようとする課題】
【０００３】  消費者は、同価格であれば棚に賞味期限の違う卵が並んでいたら奥からでも新しいものを選んで買っていく。牛乳・米・肉・魚・野菜・加工食品・お弁当等々、消費期限日付を見て選んで買っていく。冷蔵冷凍技術が進化し充分に鮮度がよくても、すぐに食べるものでさえ、新しいものから買っていく。それで期日の古いものは商品棚上にどんどん取り残されていく。見切り品の値引きシールなどで対応しているが、人手が足りず消費期限の大幅に違う商品が同価格のまま商品棚に平気で陳列されている。又、売り切りを待ってか？販売店側が品出しを追加せず、消費者が古いものしか選択できずに買うのをやめてしまうケースも多い。また消費者は見切り品の投げ売りを期待し、夕飯支度時に買わず閉店時に買い求めるなど商品が適正時に販売されていない。天候の悪い日はその売り切り販売もままならず、残りは全部廃棄となる。そして割安感から消費期限ぎりぎり購入したものは家庭で消費期限を過ぎ廃棄されることも多い。品揃えのための廃棄処分を覚悟しての仕入れ、金額値引きコスト・廃棄処分コストを含んでの価格設定、読めない仕入れ、読めない配送、読めない製造、各分野で利益を押し下げている。家庭では食事時間の遅れと簡単な食事。まさしく負のスパイラルである。
【課題を解決するための手段】
【０００４】  そこで商品表示コードにカウントダウン値引きに必要なデータを入れることを考えました。
商品表示コードは商品内容に加え・品質保持のための必要事項・製造日・消費期限を加える。できればカウントダウン指数を取り決め入れる。
品出し時を基準定価とし、製造から消費期限までの消費期間をもとに、製造後時間経過により値引き価格を設定、または消費期限までの残り期間に応じ値引き価格を設定する。消費者においては連続的にカウントダウン値引きがされるので劇的な割引き感にはならず、消費者は本来のニーズを優先し購入する事になる。
次に購入時消費者に解りやすく商品コード表示に加え、文字で定価・消費期限・カウントダウン目安を提示、精算時に納得のいく割引表示付きのレシートとする。これにより精算時の購買履歴データが取れる。購入と値引の関係を解析材料とし需要と供給バランスをとる事ができる。
次に製造から一貫し同じ商品表示コードを使用することを考えました。製造からの在庫期間、配送時の停滞時間、バックヤードでの待機時間にペナルティーを加え、同じようにカウントダウン値引き仕入れとする。これにより流通履歴データがとることができる。。
【発明の効果】
【０００５】  カウントダウン値引きにより閉店時などの値引き待ちをせず、消費者は近日中に使う商品と長期保存用の商品とニーズに合わせ買い分けるようになる。古い商品が取り残されなくなり、売り尽くしセールで安いからと購入時間が遅れたり、無駄買いしなくなる。適正時、適正量、適正価格で仕入れ・納品されるためスムースに商品が循環し、計画発注・計画配送・計画精算ができ、家庭・商品棚上・バックヤード・配送待倉庫・工場・資源庫等の不良在庫が減る。販売・配送・製造に遡って各機関の消費期限切れによる廃棄処分が減らせる。売り尽くし待ちや、消費期限の長いものから買っていくという消費者心理がデータを掴めなくしていたが、カウントダウン割引によって各部門での履歴を残すことになり、そのデータが集積・解析され、問題点を改善することができる。
カウントダウン値引きにより、適正な時間での販売が出来る。このシステムが計画的な物流を進め、無駄な仕事量を減らし、不良在庫を減らし、廃棄物を減らし、正当な利潤を生み出す。
【産業上の利用可能性】
【０００１】  商品表示コードにデータ収集効果を持たせる事が出来れば、そしてそれを義務づけることになる要因があれば大量消費材の正確なデータを集積することができる。ここでは消費者には値引きという利益供与、物流機関では在庫期間のペナルティである。
企業間を超えたネットワークを組むことによって計画的生産・計画的在庫管理、計画的仕入れができる。ここでは商品表示コードを共有してそれぞれの納品発注がスムースにできるようになる。
消費期限データはＰＯＳシステムにインプットされ、商品棚の消費期限管理が簡易化される。さらに消費期限を前倒しして早期回収して次なる製品流通を作ることもできる。手間を加え二次加工品とする。飼料とする。肥料とする。バイオ燃料とする。さらに福祉施設に送る。支援物資として緊急時や要救済国へ送るなどさらなる社会貢献が期待できる。
これらの取り組みで廃棄物を減らすこととなる。資源の無駄遣い。二酸化炭素の排出問題にも大きく貢献できることを期待する。
ここでは加工食品に絞って説明したが、もし薬品・保存食品・季節品等消費財にも当てはめればデータ化が進み、計画的生産、計画的物流ができると思う。このシステムが平常化すれば無駄なコストが削減され定価を下げることができ、新たな消費につながってゆく。